(57)【要約】【課題】モップ用払拭体の着脱が容易に行なえると共に、モップがけに際しモップ用払拭体が離脱することがなく、しっかりと保持できるようにする。【解決手段】柄Ｓの先端に固定する柄取付部１先端に固定咬持片部２を形成して成る取付固定部Ａと、柄取付部１に揺動可能に枢着したレバー部３先端に可動咬持片部４を形成して成る取付可動部Ｂと、柄取付部１とレバー部３との間に介装し、固定咬持片部２、可動咬持片部４同士が常に閉塞方向に付勢すべく、それらの間に介装したバネ体５とからモップ取付部材Ｐを形成する。このモップ取付部材Ｐにおける固定咬持片部２、可動咬持片部４それぞれの対向面側に、モップ用払拭体Ｑに形成した網目状の被挟着面部１２の網孔１２Ａに係合可能な係合突起部１１を設ける。またバネ体５のバネ圧力は、作業者の片手指先でレバー部３自体を押圧操作可能となる程度に小さく設定する。【選択図】　　　　　図１
2004024485.tif 000002
【特許請求の範囲】
【請求項１】
柄の先端に固定される柄取付部先端に固定咬持片部が形成されて成る取付固定部と、柄取付部に揺動可能に枢着されたレバー部先端に可動咬持片部が形成されて成る取付可動部と、柄取付部とレバー部との間に介装され、固定咬持片部、可動咬持片部同士が常に閉塞方向に付勢されるバネ体とを備えたモップ取付部材における固定咬持片部、可動咬持片部それぞれの対向面側に、モップ用払拭体に形成された網目状の被挟着面部の網孔に係合させる係合突起を備えて成ることを特徴とする柄に対するモップ用払拭体の取付構造。
【請求項２】
レバー部自体のバネ圧力は、当該レバー部を作業者の片手指先で押圧操作可能とする程度に小さく設定してある請求項１記載の柄に対するモップ用払拭体の取付構造。
【請求項３】
レバー部の後端には、中央部が柄側に向けて屈曲した可撓性を有する引っ掛かり防止片を挿着可能としてある請求項１または２記載の柄に対するモップ用払拭体の取付構造。
【請求項４】
係合突起部は、被挟着面部の網孔位置にそれぞれ対応すべく、固定咬持片部、可動咬持片部それぞれの接合面側における前縁側、後縁側に長手方向に沿って離間配置させるか、固定咬持片部、可動咬持片部の長手方向に沿って係合突起部を千鳥状もしくは格子状等に配列するかして形成した請求項１乃至３のいずれか記載の柄に対するモップ用払拭体の取付構造。
【発明の詳細な説明】
【０００１】
【発明の属する技術分野】
本発明は、床面その他の拭き掃除に使用されるモップ用払拭体、特に洗濯機によって洗濯可能な柔軟構造のモップ用払拭体を柄の先端部に着脱自在に取付けるための柄に対するモップ用払拭体の取付構造に関するものである。
【０００２】
【従来の技術】
従来、モップ用払拭体の取付構造としては、例えば図４に示すような櫛刃噛合タイプのモップ取付部材Ｐが使用されていた。すなわちこのモップ取付部材Ｐは、柄Ｓの先端に固定される円筒状の柄取付部１０１の先端に固定咬持片部１０２が形成され、固定咬持片部１０２の前端に櫛刃状の垂直縁部１０２Ａを備えた略Ｔ字型を呈する取付固定部Ａと、柄取付部１０１上側に揺動可能に枢着されたレバー部１０３の先端に可動咬持片部１０４が形成され、可動咬持片部１０４の前端に櫛刃状の垂直縁部１０２Ａを備えた略Ｔ字型を呈する取付可動部Ｂとから成り、柄取付部１０１とレバー部１０３との間には、固定咬持片部１０２、可動咬持片部１０４同士が常に閉塞方向に付勢されるようバネ体１０５が介装されている。そして、複数本の若干太目の縒紐を平行に隣接させて束ねた中央部分に例えば布材等の被挟着面部１１２を縫合して成るモップ払拭体Ｑの当該被挟着面部１１２を何れかの方向に折り曲げた状態にしてから、レバー部１０３の押圧によって開放した固定咬持片部１０２、可動咬持片部１０４それぞれの櫛刃状の垂直縁部１０２Ａによって挟持固定するものである。このときバネ体１０５は櫛刃状の垂直縁部１０２Ａの被挟着面部１１２に対する食い込み力を増強するためにかなり大きなバネ圧力に設定されているものである。
【０００３】
【発明が解決しようとする課題】
しかしながらこのような従来におけるモップ用払拭体Ｑの取付構造では、バネ体１０５は、取付支持後で簡単には抜脱されないように、櫛刃状の垂直縁部１０２Ａの被挟着面部１１２に対する食い込み力を増強するために非常に大きなバネ圧力を有しているのである。その結果、固定咬持片部１０２、可動咬持片部１０４それぞれの閉塞付勢状態を開放させるに際し、レバー部１０３に対しかなりの押圧力を働かさせないと固定咬持片部１０２、可動咬持片部１０４それぞれを容易に開放することができないのである。一方、このような固定咬持片部１０２、可動咬持片部１０４相互間の閉塞付勢状態を弱い力でもって容易に開放させるためには、バネ体１０５自体のバネ圧力を若干弱いものにしておく必要がある。そうすると、櫛刃状の垂直縁部１０２Ａの被挟着面部１１２に対する食い込み力が減退してしまうため、モップがけに際し、例えば水絞り時や、床面を強く擦る時等のモップ取付部材Ｐに対して強制的な引っ張り力がモップ用払拭体Ｑに働いたときには、モップ取付部材Ｐからモップ用払拭体Ｑ自体が簡単に離脱してしまうという問題点を有していた。
【０００４】
そこで本発明は叙上のような従来存した諸事情に鑑み創出されたもので、モップ取付部材に対するモップ用払拭体の着脱に際し、レバー部の押圧操作が比較的弱い力であってもその着脱が容易に行なえると共に、モップがけに際しモップ用払拭体に対して外部から引っ張り力が働いてもモップ取付部材からモップ用払拭体が離脱せずに保持状態を常時維持できるものとした柄に対するモップ用払拭体の取付構造を提供することを目的とする。
【０００５】
【課題を解決するための手段】
上述した課題を達成するため、本発明にあっては、柄Ｓの先端に固定される柄取付部１先端に固定咬持片部２が形成されて成る取付固定部Ａと、柄取付部１に揺動可能に枢着されたレバー部３先端に可動咬持片部４が形成されて成る取付可動部Ｂと、柄取付部１とレバー部３との間に介装され、固定咬持片部２、可動咬持片部４同士が常に閉塞方向に付勢されるバネ体５とを備えたモップ取付部材Ｐにおける固定咬持片部２、可動咬持片部４それぞれの対向面側に、モップ用払拭体Ｑに形成された網目状の被挟着面部１２の網孔１２Ａに係合させる係合突起１１を備えて成るものである。
またレバー部３自体のバネ圧力は、当該レバー部３を作業者の片手指先で押圧操作可能とする程度に小さく設定し、さらにレバー部３の後端には、中央部が柄Ｓ側に向けて屈曲した可撓性を有する引っ掛かり防止片１３を挿着可能にしたものとできる。
係合突起部１１は、被挟着面部１２の網孔１２Ａ位置にそれぞれ対応すべく、固定咬持片部２、可動咬持片部４それぞれの接合面側における前縁側、後縁側それぞれに長手方向に沿って離間配置させるか、固定咬持片部２、可動咬持片部４の長手方向に沿って係合突起部１１を千鳥状もしくは格子状等に配列するかして形成することができる。
【０００６】
以上のように構成された本発明に係る柄に対するモップ用払拭体の取付構造において、モップ取付部材Ｐの固定咬持片部２、可動咬持片部４それぞれの対向面側に設けた係合突起１１は、モップ用払拭体Ｑに形成された網目状の被挟着面部１２を折り曲げた状態にしてからモップ取付部材Ｐにおける取付固定部Ａの固定咬持片部２、取付可動部Ｂの可動咬持片部４それぞれの間に挟持固定した際に、これらの被挟着面部１２の網孔１２Ａに係合突起部１１が係止され、モップ用払拭体Ｑに対して外部から引っ張り力が働いても、固定咬持片部２、可動咬持片部４相互間からのモップ用払拭体Ｑの離脱を防止させる。
作業者の片手指先で押圧操作可能とする程度に小さくバネ圧力を設定したレバー部３は、モップ取付部材Ｐに対するモップ用払拭体Ｑの着脱に際し、使用者がレバー部３を簡単に押圧操作可能にさせる。また、このようにしても被挟着面部１２の網孔１２Ａに対する係合突起部１１の係止作用によって固定咬持片部２、可動咬持片部４相互間からのモップ用払拭体Ｑの離脱を防止させる。
レバー部３の後端に装着可能な可撓性を有する引っ掛かり防止片１３は、モップかけに際し、レバー部分３が障害物に当たったとき、障害物を傷つけないよう保護させ、しかも障害物から容易に逃避可能にさせる。
被挟着面部１２の網孔１２Ａ位置にそれぞれ対応すべく、固定咬持片部２、可動咬持片部４それぞれに長手方向に沿って離間配置させるか、固定咬持片部２、可動咬持片部４の長手方向に沿って千鳥状もしくは格子状等に配列するかして形成された係合突起部１１は、モップ取付部材Ｐにおける取付固定部Ａの固定咬持片部２、取付可動部Ｂの可動咬持片部４それぞれの間にモップ用払拭体Ｑの網目状の被挟着面部１２が挟持固定された際に、これらの被挟着面部１２の網孔１２Ａに全ての係合突起部１１がそれぞれ係止され、モップ取付部材Ｐに対して多点支持状態となってモップ用払拭体Ｑの離脱を防止させる。
【０００７】
【発明の実施の形態】
以下図面を参照して本発明の一実施の形態を説明すると、図において示される符号Ｐは、拭き掃除に使用されるモップ用払拭体Ｑを柄Ｓの先端部に着脱自在に取付けるためのモップ取付部材であり、複数本の若干太目の縒紐を平行に隣接させて束ねた中央部分に後述する例えば合成繊維製の網目状の被挟着面部１２を巻装し縫合して成るモップ用払拭体Ｑの当該被挟着面部１２を折り曲げた状態にしてから挟持固定するものである。
【０００８】
尚、モップ用払拭体Ｑ自体は、縒紐を縫合して成る払拭体本体の中央部分を紐等によって扁平状になるように括ると共に、その括り部分を合成繊維製の網目状のネット材によって更に被装することで被挟着面部１２となしたものであり、これによってモップ用払拭体Ｑ自体の全体を柔軟な構造のものとでき、汚染されたとき等には洗濯機にて洗濯して汚れ等を簡単に除去することができるようにしてある。
【０００９】
このモップ取付部材Ｐは、図１に示すように、柄Ｓの先端に固定される円筒状の柄取付部１の先端に帯板状の固定咬持片部２が形成されて成る略Ｔ字型を呈する取付固定部Ａと、柄取付部１上側に揺動可能に枢着されたレバー部３の先端に帯板状の可動咬持片部４が形成されて成る略Ｔ字型を呈する取付可動部Ｂと、柄取付部１とレバー部３との間には、固定咬持片部２、可動咬持片部４同士が常に閉塞方向に付勢されるよう介装されたバネ体５とを備えて成る。
【００１０】
すなわち、長尺な棒状の柄Ｓの先端部が嵌着されて固定される取付固定部Ａの円筒状の柄取付部１と、固定咬持片部２との間であって正面から見て左右対称位置には中央に孔部を有する略半円状の下側枢着部６が割り溝８を介して対向配置しており、この下側枢着部６に対しレバー部３の下側であって正面から見て左右対称位置には中央に孔部を有する略円弧状の上側枢着部７が対向配置してある。そして、下側枢着部６、上側枢着部７それぞれの孔部を合致させた状態にして当該孔部にピン体９を貫挿させることによって下側枢着部６、上側枢着部７それぞれが揺動可能となって枢着され、これにより固定咬持片部２、可動咬持片部４同士が互いに開閉自在となるようにしてある。
【００１１】
また、柄取付部１とレバー部３との間に介装させたバネ体５としては、中央のコイル部を介して両端部が略Ｖ字型状に延びたつるまき状の２本のバネ部材を使用し、一方の端部同士は互いに連結されて略コ字型の折り返し部５Ａが形成されている。そして、下側枢着部６、上側枢着部７それぞれを枢着させているピン体９に対し中央のコイル部が巻装配置されると共に、柄取付部１の上面に突出形成した掛架用突起片１０にバネ体５の折り返し部５Ａが掛架保持され、且つ他方の端部同士はレバー部３の下面部に当接配置されている。
【００１２】
固定咬持片部２、可動咬持片部４それぞれの接合面側における前縁側、後縁側それぞれには長手方向に沿って例えば円柱突起状の複数の係合突起部１１が離間配置されている。図２に示すように、この係合突起部１１同士の間隔は、当該係合突起部１１それぞれがモップ用払拭体Ｑ中央に形成されている例えば合成繊維製の網目状を呈する被挟着面部１２のいずれかの網孔１２Ａ箇所に合致して係合されるよう所定の長さに設定されている。このとき係合突起部１１の外径は、被挟着面部１２の網孔１２Ａの内径よりも小さくしてあるのは勿論である。尚、固定咬持片部２、可動咬持片部４それぞれの接合面側における係合突起部１１の配列形態は、本発明を何等限定するものではなく、固定咬持片部２、可動咬持片部４の長手方向に沿って係合突起部１１を例えば千鳥状に配列したり、格子状に配列したりしても良いのである。
【００１３】
モップ取付部材Ｐに対するモップ用払拭体Ｑの装着時において、図３に示すように、モップ用払拭体Ｑの被挟着面部１２を折り曲げた状態にしてからモップ取付部材Ｐにおける取付固定部Ａの固定咬持片部２、取付可動部Ｂの可動咬持片部４それぞれの間に挟持固定した際に、これらの被挟着面部１２の網孔１２Ａによって係合突起部１１がしっかりと係止された状態となる。このときモップ用払拭体Ｑに対して外部から引っ張り力が働いても固定咬持片部２、可動咬持片部４相互間からモップ用払拭体Ｑが離脱しないもとなるのである。
【００１４】
しかもレバー部３自体は従来に比してそのバネ圧力を約半分以下に小さく設定してあり、モップ取付部材Ｐに対するモップ用払拭体Ｑの着脱に際し、作業者、使用者がレバー部３を簡単に押圧操作できるようにしてあり、このようにしても被挟着面部１２の網孔１２Ａに対する係合突起部１１の係止作用によって固定咬持片部２、可動咬持片部４相互間からのモップ用払拭体Ｑの離脱が十分に防止できるのである。
【００１５】
またレバー部３の後端には合成樹脂製等の可撓性を有する引っ掛かり防止片１３が挿着されている。すなわちこの引っ掛かり防止片１３は、断面がレバー部３の断面コ字型形状に合致させた略コ字型の空洞を有する鞘状を呈し且つ全体を略への字型に屈曲させて成り、モップかけに際し、レバー部分３が障害物に当たったとき、障害物を傷つけないよう保護し、しかも障害物から容易に逃避できるようにしてある。
【００１６】
次に以上のように構成された実施の形態についての使用の一例を説明するに、図１に示すように、先ずモップ取付部材Ｐにおける取付可動部Ｂのレバー部３を取付固定部Ａの柄取付部１側へ押圧操作することで、取付固定部Ａの固定咬持片部２、取付可動部Ｂの可動咬持片部４それぞれを開放させ、固定咬持片部２、可動咬持片部４相互間に、モップ用払拭体Ｑの被挟着面部１２を折り曲げた状態にして挿入配置させる。そしてレバー部３の押圧を解除することで固定咬持片部２、可動咬持片部４相互間に被挟着面部１２が挟持固定される。このとき図２に示すように、係合突起部１１同士は、モップ用払拭体Ｑ中央に形成されている被挟着面部１２のいずれかの複数の網孔１２Ａ箇所の幾つかに合致した状態で係合される。
【００１７】
またレバー部３の後端には、可撓性を有する引っ掛かり防止片１３が挿着される。この引っ掛かり防止片１３によってモップかけに際し、レバー部分３が障害物に当たったときでも当該障害物に対し傷つけることがないのである。
【００１８】
こうして図３に示すように、モップ用払拭体Ｑの被挟着面部１２の網孔１２Ａによって係合突起部１１がしっかりと係止された状態となり、モップ用払拭体Ｑに対して外部から引っ張り力が働いても固定咬持片部２、可動咬持片部４相互間からモップ用払拭体Ｑが離脱しないものとなるのである。しかも従来のレバー部３に比してそのバネ圧力を小さく設定しても、固定咬持片部２、可動咬持片部４相互間からのモップ用払拭体Ｑの離脱が十分に防止されるのである。
【００１９】
【発明の効果】
本発明は以上のように構成されているために、モップ取付部材Ｐに対するモップ用払拭体Ｑの着脱に際し、レバー部３の押圧操作が比較的弱い力であってもその着脱が容易に行なえると共に、モップがけに際しモップ用払拭体Ｑに対して外部から引っ張り力が働いてもモップ取付部材Ｐからモップ用払拭体Ｑが離脱せずに保持状態を常時しっかりと維持できるものとすることができる。
【００２０】
すなわちこれは本発明が、固定咬持片部２が形成されて成る取付固定部Ａと、レバー部３先端に可動咬持片部４が形成されて成る取付可動部Ｂと、柄取付部１とレバー部３との間に介装され同士が常に閉塞方向に付勢されるバネ体５とを備えたモップ取付部材Ｐにおける固定咬持片部２、可動咬持片部４それぞれの対向面側に、モップ用払拭体Ｑに形成された網目状の被挟着面部１２の網孔１２Ａに係合させる係合突起１１を備えて成るからであり、これにより、モップ用払拭体Ｑに形成された網目状の被挟着面部１２を折り曲げた状態にしてからモップ取付部材Ｐにおける取付固定部Ａの固定咬持片部２、取付可動部Ｂの可動咬持片部４それぞれの間に挟持固定した際に、これらの被挟着面部１２の網孔１２Ａに係合突起部１１が容易に係止でき、モップがけに際し、モップ用払拭体Ｑに対して外部から引っ張り力が働いても、固定咬持片部２、可動咬持片部４相互間からのモップ用払拭体Ｑの離脱が完全に防止できるものとなる。
【００２１】
またレバー部３自体のバネ圧力は、当該レバー部３を作業者の片手指先で押圧操作可能とする程度に小さく設定したので、モップ取付部材Ｐに対するモップ用払拭体Ｑの着脱に際し、使用者がレバー部３を片手指先で持って簡単に押圧操作することができ、しかもこのようにしても被挟着面部１２の網孔１２Ａに対する係合突起部１１の係止作用がしっかりと働くことによって固定咬持片部２、可動咬持片部４相互間からのモップ用払拭体Ｑの離脱が未然に防止される。
【００２２】
さらにレバー部３の後端には、中央部が柄Ｓ側に向けて屈曲した可撓性を有する引っ掛かり防止片１３を挿着可能にしたので、レバー部分３が障害物に当たったとき、障害物を傷つけないよう保護させることができ、しかもレバー部分３を障害物から容易に逃避させることができる。
【００２３】
係合突起部１１は、被挟着面部１２の網孔１２Ａ位置にそれぞれ対応すべく、固定咬持片部２、可動咬持片部４それぞれの接合面側における前縁側、後縁側それぞれに長手方向に沿って離間配置させるか、固定咬持片部２、可動咬持片部４の長手方向に沿って係合突起部１１を千鳥状もしくは格子状等に配列するかして形成したので、モップ取付部材Ｐにおける取付固定部Ａの固定咬持片部２、取付可動部Ｂの可動咬持片部４それぞれの間にモップ用払拭体Ｑの網目状の被挟着面部１２が挟持固定された際に、これらの被挟着面部１２の網孔１２Ａに全ての係合突起部１１がそれぞれ係止されることも可能なため、モップ取付部材Ｐに対して多点支持状態となってモップ用払拭体Ｑの離脱を十分に防止させることができる。
【図面の簡単な説明】
【図１】本発明の一実施の形態における分解斜視図である。
【図２】同じくモップ取付部材にモップ用払拭体を取付ける状態を示す正面図である。
【図３】同じくモップ取付部材にモップ用払拭体を取付た使用状態を示す縦断面図である。
【図４】従来技術を示したモップ取付部材にモップ用払拭体を取付ける状態を示す斜視図である。
【符号の説明】
Ｐ…モップ取付部材　　　　　　　　　Ｑ…モップ用払拭体
Ａ…取付固定部　　　　　　　　　　　Ｂ…取付可動部
Ｓ…柄
１…柄取付部　　　　　　　　　　　　２…固定咬持片部
３…レバー部　　　　　　　　　　　　４…可動咬持片部
５…バネ体　　　　　　　　　　　　　５Ａ…折り返し部
６…下側枢着部　　　　　　　　　　　７…上側枢着部
８…割り溝　　　　　　　　　　　　　９…ピン体
１０…掛架用突起片　　　　　　　　　１１…係合突起部
１２…被挟着面部　　　　　　　　　　１２Ａ…網孔
１３…引っ掛かり防止片
１０１…柄取付部　　　　　　　　　　１０２…固定咬持片部
１０２Ａ…櫛刃状の垂直縁部　　　　　１０３…レバー部
１０４…可動咬持片部　　　　　　　　１０５…バネ体
【図１】
2004024485.tif 000003
【図２】
2004024485.tif 000004
【図３】
2004024485.tif 000005
【図４】
2004024485.tif 000006